【手続補正書】
【提出日】平成18年10月13日(2006.10.13)
【手続補正１】
【補正対象書類名】明細書
【補正対象項目名】特許請求の範囲
【補正方法】変更
【補正の内容】
【特許請求の範囲】
【請求項１】  シリアル・バスとホスト・システム間をインタフェースするため、および、遠隔ノードにより前記シリアル・バス上に置かれた情報を前記シリアル・バスから受信しかつ該受信した情報を前記ホスト・システムに転送し、また、前記ホスト・システムから情報を受信しかつ該受信した情報を前記遠隔ノードによる受信のため前記シリアル・バスに転送するためにローカル・ノード上に設けられたシリアル・バス・インタフェースであって、
前記遠隔ノードにより生成されたデータを前記シリアル・バスから受信するためのデータ受信器と、
データを前記遠隔ノードでの受信のため前記シリアル・バスに送信するためのデータ送信器と、
少なくとも１つのレジスタがそこに受信データを記憶のため前記遠隔ノードによりアドレス可能である複数のレジスタを備えていて、
前記データ受信器は読み出し動作の間受信したデータを前記少なくとも１つのレジスタに記憶するよう動作可能であり、
また、前記データ送信器は書き込み動作の間データを前記シリアル・バスに送信するようになっており、
さらに、前記ホスト・システム上のホスト・バスに直接インタフェースするためのホスト・バス・インタフェースを備えていて、該ホスト・バス・インタフェースは、前記少なくとも１つのレジスタに記憶されたデータを、書き込み動作の間、該データが受信されて前記少なくとも１つのレジスタに記憶されるとき、前記ホスト・バスに転送し、また、読み出し動作の間データを前記ホスト・バスから取り出すようになっているシリアル・バス・インタフェース。
【請求項２】  請求項１記載のシリアル・バス・インタフェースにおいて、シリアル・バス・インタフェースが標準レジスタ空間を含んでいて、前記少なくとも１つのレジスタは該標準レジスタ空間の一部を占有しているシリアル・バス・インタフェース。
【請求項３】  請求項１記載のシリアル・バス・インタフェースにおいて、前記複数のレジスタのうちの選ばれたレジスタは標準バス・インタフェース情報の記憶に専用に供されていて、遠隔ノードは前記標準バス・インタフェース情報に関連付けられた前記複数のレジスタを直接アドレスしてそこから該情報にアクセスでき、また、前記データ受信器は前記複数のレジスタのうちの１つへのアクセス要求を認識するよう動作可能でかつ前記データ送信器はアドレスされるときその内容を送信するよう動作可能であるシリアル・バス・インタフェース。
【請求項４】  請求項３記載のシリアル・バス・インタフェースにおいて、前記複数のレジスタのうちの選ばれたレジスタはコンフィギュレーション・レジスタから成っていて、該コンフィギュレーション・レジスタは前記シリアル・バス・インタフェースの動作を定めるコンフィギュレーション情報のために用いられ、それにより、遠隔ノードは前記コンフィギュレーション・レジスタの１つにアクセスすることによって前記シリアル・バス・インタフェースの動作をプログラムできるようになっているシリアル・バス・インタフェース。
【請求項５】  請求項１記載のシリアル・バス・インタフェースにおいて、前記データ受信器によって受信されるデータおよび前記データ送信器によって送信されるデータはデータ・パケットであり、該データ・パケットは前記シリアル・バス上の送信ノードを識別するのに必要な情報と、該データ・パケットの内容と、データ・パケットを受信するよう指定された遠隔ノードを識別する情報を含んでいるシリアル・バス・インタフェース。
【請求項６】  請求項５記載のシリアル・バス・インタフェースにおいて、各データ受信または送信動作に先行して前記遠隔ノードからの書き込み要求または読み出し要求のデータ要求があり、該要求は前記受信されたデータ・パケット内に含まれており、書き込み要求に関連した前記受信データ・パケットは前記少なくとも１つのレジスタに記憶されたそれに関連したデータを含んでいて、前記ホスト・インタフェースはこの書き込み要求を認識して前記少なくとも１つのレジスタに記憶された前記データを前記ホスト・バスに転送し、読み出し要求では、前記ホスト・インタフェースはこの読み出し要求を認識して該データに前記データ送信器を持つ遠隔ノードへの転送のため前記ホスト・システムからアクセスするシリアル・バス・インタフェース。
【請求項７】  請求項６記載のシリアル・バス・インタフェースにおいて、前記遠隔ノードからの前記書き込み要求は前記少なくとも１つのレジスタに記憶のためのアドレス情報とデータ情報の両方を含んでおり、前記ホスト・インタフェースはアドレス・バスとデータ・バスを持つ前記ホスト・バスにこれらアドレス情報とデータ情報の両方を送信するよう動作可能であるシリアル・バス・インタフェース。
【請求項８】  請求項６記載のシリアル・バス・インタフェースにおいて、前記遠隔ノードからの前記読み出し要求は前記少なくとも１つのレジスタに記憶されているアドレスを含んでおり、前記ホスト・インタフェースは、読み出し要求を認識するとアドレス・バスとデータ・バスを持つ前記ホスト・バスに該アドレスを送信するよう動作可能であり、前記データ送信器による前記遠隔ノードへの送信のため該データ・バスからデータを取り出すシリアル・バス・インタフェース。
【請求項９】  シリアル・バスとローカル・ノード上のホスト・システム間をインタフェースするため、および、遠隔ノードにより前記シリアル・バス上に置かれた情報を前記シリアル・バスから受信しかつ該受信した情報を前記ホスト・システムに転送し、また、前記ホスト・システムから情報を受信しかつ該受信した情報を前記遠隔ノードによる受信のため前記シリアル・バスに転送するための方法であって、
前記遠隔ノードにより生成されたデータを前記シリアル・バスからデータ受信器で受信するステップと、
データを前記遠隔ノードでの受信のため前記シリアル・バスに送信するステップと、
少なくとも１つのレジスタがそこに受信データを記憶のため前記遠隔ノードによりアドレス可能である複数のレジスタを設けるステップを含み、前記受信ステップは読み出し動作の間受信したデータを前記少なくとも１つのレジスタに記憶するよう動作可能であり、また、前記送信ステップは書き込み動作の間データを前記シリアル・バスに送信するようになっており、さらに、前記ホスト・システム上のホスト・バスに直接インタフェースするためのホスト・バス・インタフェースが設けられていて、該ホスト・バス・インタフェースは、前記少なくとも１つのレジスタに記憶されたデータを、書き込み動作の間、該データが受信されて前記少なくとも１つのレジスタに記憶されるとき、前記ホスト・バスに転送し、また、読み出し動作の間データを前記ホスト・バスから取り出すようになっている方法。
【請求項１０】  請求項９記載の方法において、シリアル・バス・インタフェースが標準レジスタ空間を含んでいて、前記少なくとも１つのレジスタは該標準レジスタ空間の一部を占有している方法。
【請求項１１】  請求項９記載の方法において、前記複数のレジスタのうちの選ばれたレジスタは標準バス・インタフェース情報の記憶に専用に供されていて、該標準バス・インタフェース情報に関連付けられた前記複数のレジスタを遠隔ノードによって直接アドレスしてそこから該情報にアクセスするステップをさらに含み、前記受信ステップは前記複数のレジスタのうちの１つへのアクセス要求を認識するよう動作可能であり、前記送信ステップはアドレスされるときその内容を送信するよう動作可能である方法。
【請求項１２】  請求項１１記載の方法において、前記複数のレジスタのうちの選ばれたレジスタはコンフィギュレーション・レジスタから成っていて、該コンフィギュレーション・レジスタは前記シリアル・バス・インタフェースの動作を定めるコンフィギュレーション情報のために用いられ、それにより、遠隔ノードは前記コンフィギュレーション・レジスタの１つにアクセスすることによって前記シリアル・バス・インタフェースの動作をプログラムできるようになっている方法。
【請求項１３】  請求項９記載の方法において、前記受信ステップで受信されるデータおよび前記送信ステップで送信されるデータはデータ・パケットであり、該データ・パケットは前記シリアル・バス上の送信ノードを識別するのに必要な情報と、該データ・パケットの内容と、データ・パケットを受信するよう指定された遠隔ノードを識別する情報を含んでいる方法。
【請求項１４】  請求項１３記載の方法において、各データ受信または送信動作に先行して前記遠隔ノードからの書き込み要求または読み出し要求のデータ要求があり、該要求は前記受信されたデータ・パケット内に含まれており、書き込み要求に関連した前記受信データ・パケットは前記少なくとも１つのレジスタに記憶されたそれに関連したデータを含んでいて、前記ホスト・インタフェースはこの書き込み要求を認識して前記少なくとも１つのレジスタに記憶された前記データを前記ホスト・バスに転送し、読み出し要求では、前記ホスト・インタフェースはこの読み出し要求を認識して該データに前記送信ステップでの遠隔ノードへの転送のため前記ホスト・システムからアクセスする方法。
【請求項１５】  請求項１４記載の方法において、前記遠隔ノードからの前記書き込み要求は前記少なくとも１つのレジスタに記憶のためのアドレス情報とデータ情報の両方を含んでおり、前記ホスト・インタフェースはアドレス・バスとデータ・バスを持つ前記ホスト・バスにこれらアドレス情報とデータ情報の両方を送信するよう動作可能である方法。
【請求項１６】  請求項１４記載の方法において、前記遠隔ノードからの前記読み出し要求は前記少なくとも１つのレジスタに記憶されているアドレスを含んでおり、前記ホスト・インタフェースは、読み出し要求を認識するとアドレス・バスとデータ・バスを持つ前記ホスト・バスに該アドレスを送信するよう動作可能であり、前記データ送信器による前記遠隔ノードへの送信のため該データ・バスからデータを取り出す方法。